(57)【特許請求の範囲】
【請求項１】
複数本の門型パイプフレームを地上に並列に立設してハウスの骨格を構成し、該骨格の上からビニールシートを張設した農芸用ビニールハウスであって、前記各門型パイプフレームをビニールハウスの天井部分を形成するアーチパイプと、ビニールハウスの側面を形成する脚パイプに分割し、さらに脚パイプを地中に先端部が埋設されるベースパイプと、該ベースパイプと前記アーチパイプとを連結する中間パイプとに分割し、
該門型パイプフレームを折り畳み態勢から起立態勢へ変動するようにアーチパイプと中間パイプ及び中間パイプとベースパイプを回動可能に連結し、
前記門型パイプフレームが折り畳み態勢にあるとき、アーチパイプの下端部が地面に近接するとともに地面から略垂直に延び、下端部を地中に埋設したベースパイプの上端部から中間パイプがアーチパイプの下端部へと延び、
前記門型パイプフレームが起立態勢にあるとき、ベースパイプと中間パイプ及びアーチパイプの下端部が略垂直に整列し、
かつ前記門型パイプフレームを起立態勢に保つため前記アーチパイプと中間パイプとの連結部に両パイプを略一直線に整列保持する第１ロック手段を設けるとともに、中間パイプとベースパイプとの連結部に両パイプを略一直線に整列保持する第２ロック手段を設けたことを特徴とする農芸用ビニールハウス。
【請求項２】
前記第１ロック手段として起立態勢においてアーチパイプの下端部と中間パイプの上端部が嵌合するように構成したことを特徴とする請求項１に記載の農芸用ビニールハウス。
【請求項３】
前記第２ロック手段として起立態勢において、前記中間パイプの下端部とベースパイプの上端部が嵌合するように構成したことを特徴とする請求項１又は２に記載の農芸用ビニールハウス。
【請求項４】
前記第１ロック手段として前記アーチパイプの下端部にアーチパイプ側フランジを設けるとともに、前記中間パイプの上端部に起立態勢においてアーチパイプ側フランジが重合する中間パイプ側アッパフランジを設けたことを特徴とする請求項１に記載の農芸用ビニールハウス。
【請求項５】
前記第２ロック手段として前記中間の下端部に中間パイプ側ロアフランジを設けるとともに、前記ベースパイプの上端部に起立態勢において中間パイプ側ロアフランジが重合するベースパイプ側フランジを設けたことを特徴とする請求項１又は４に記載の農芸用ビニールハウス。
【請求項６】
前記アーチパイプと中間パイプの連結部の近傍に第１フレームを連結し、中間パイプとベースパイプの連結部の近傍に第２フレームを連結し、第１フレームと第２フレームを連結して中間パイプと第１フレーム及び第２フレームで中間パイプを底辺とする略三角形の骨組を形成し、該三角形の骨組の頂点にワイヤ若しくはロッドを連結し、該ワイヤ若しくはロッドを引張して前記門型パイプフレームを折り畳み態勢から起立態勢へと変動させるように構成したことを特徴する請求項１に記載の農芸用ビニールハウス。
【請求項７】
前記中間パイプとアーチパイプの連結部の近傍に支持フレームの一端を回動可能に連結し、前記ワイヤ若しくはロッドの引張時に該支持フレームの他端が地面に摺接するように構成したことを特徴とする請求項６に記載の農芸用ビニールハウス。
【発明の詳細な説明】
【技術分野】
【０００１】
本発明は農芸用ビニールハウスに関し、より詳しくは農芸用ビニールハウスの骨組構造に関する。
【背景技術】
【０００２】
一般に農芸用ビニールハウスは、多数の門型パイプフレームを地面に並列に立設してハウスの骨組を構成し、骨組の上からビニールシートを張設して組み立てられている。
【特許文献１】特開平５−１５２６０
【発明の開示】
【発明が解決しようとする課題】
【０００３】
この種の農芸用ビニールハウスでは、屋根裏空間に滞留する熱気が農芸作物に悪影響を及ぼすのを防止するため、天井付近に換気窓や換気ファンを設けている。  従来の農芸用ビニールハウスでは、こういった換気窓や換気ファンの設置作業あるいは屋根を覆うシートの張設作業を高所で行わなければならず、かかる作業は危険を伴うだけでなく作業効率が悪いので、施工コスト高の一因となっている。
本発明はかかる問題点に鑑み、高所での危険な作業を省略でき、施工コストの低減が可能な農芸用ビニールハウスを提供することを目的とする。
【課題を解決するための手段】
【０００４】
上記目的を達成するため請求項１に記載の発明は複数本の門型パイプフレームを地上に並列に立設してハウスの骨格を構成し、該骨格の上からビニールシートを張設した農芸用ビニールハウスであって、前記各門型パイプフレームをビニールハウスの天井部分を形成するアーチパイプと、ビニールハウスの側面を形成する脚パイプに分割し、さらに脚パイプを地中に先端部が埋設されるベースパイプと、該ベースパイプと前記アーチパイプとを連結する中間パイプとに分割し、
該門型パイプフレームを折り畳み態勢から起立態勢へ変動するようにアーチパイプと中間パイプ及び中間パイプとベースパイプを回動可能に連結し、
前記門型パイプフレームが折り畳み態勢にあるとき、アーチパイプの下端部が地面に近接するとともに地面から略垂直に延び、下端部を地中に埋設したベースパイプの上端部から中間パイプがアーチパイプの下端部へと延び、
前記門型パイプフレームが起立態勢にあるとき、ベースパイプと中間パイプ及びアーチパイプの下端部が略垂直に整列し、
かつ前記門型パイプフレームを起立態勢に保つため前記アーチパイプと中間パイプとの連結部に両パイプを略一直線に整列保持する第１ロック手段を設けるとともに、中間パイプとベースパイプとの連結部に両パイプを略一直線に整列保持する第２ロック手段を設ける。
そして、好ましくは前記第１ロック手段として起立態勢においてアーチパイプの下端部と中間パイプの上端部が嵌合するように構成する。
また、前記第２ロック手段として起立態勢において、前記中間パイプの下端部とベースパイプの上端部が嵌合するように構成する。
また、好ましくは前記第１ロック手段として前記アーチパイプの下端部にアーチパイプ側フランジを設けるとともに、前記中間パイプの上端部に起立態勢においてアーチパイプ側フランジが重合する中間パイプ側アッパフランジを設ける。
さらに好ましくは、前記第２ロック手段として前記中間パイプの下端部に中間パイプ側ロアフランジを設けるとともに、前記ベースパイプの上端部に起立態勢において中間パイプ側ロアフランジが重合するベースパイプ側フランジを設ける。
また、前記アーチパイプと中間パイプの連結部の近傍に第１フレームを連結し、中間パイプとベースパイプの連結部の近傍に第２フレームを連結し、第１フレームと第２フレームを連結して中間パイプと第１フレーム及び第２フレームで中間パイプを底辺とする略三角形の骨組を形成し、該三角形の骨組の頂点にワイヤ若しくはロッドを連結し、該ワイヤ若しくはロッドを引張して前記門型パイプフレームを折り畳み態勢から起立態勢へと変動させるように構成する。
さらに好ましくは前記中間パイプとアーチパイプの連結部の近傍に支持フレームの一端を回動可能に連結し、前記ワイヤ若しくはロッドの引張時に該支持フレームの他端が地面に摺接するように構成する。
【発明の効果】
【０００５】
本発明に係る農芸用ビニールハウスは、ハウスの骨格を構成する門型パイプフレームが折り畳み態勢から起立態勢へと変動させることができる。そして、折り畳み態勢ではハウスの天井部分を構成するアーチパイプはその下端部が地面に近接するので、換気ファンや換気窓を天井付近に設置する作業あるいは屋根を覆うビニールシートの張設作業を低所で実施できる。
換気ファン等の設置作業をした後、門型パイプフレームを起立態勢へ動かすと、アーチパイプと中間パイプ及びベースパイプが垂直に整列してハウスの骨格が構成される。
このように従来高所で行われていた換気ファンの設置作業、屋根を覆うビニールシートの張設作業等を低所で行うことができるので、作業効率が向上し、作業の危険性も低減でき、施工コストの低減が可能となる。
【０００６】
門型パイプフレームが折り畳み態勢にあるとき、中間パイプはアーチパイプの下端部からベースパイプの上端部へと地面に沿って延びているが、中間パイプと第１フレーム及び第２フレームで三角形の骨組を構成し、三角形の骨組の頂点をワイヤ若しくはロッドで引張することにより容易に門型パイプフレームを起立態勢へと動かすことができる。
【０００７】
中間パイプに支持フレームを連結することにより、ワイヤ若しくはロッドを引張して門型パイプフレームを折り畳み態勢から起立態勢へと動かすとき、支持フレームが地面に摺接するので、起立態勢になる前にワイヤ若しくはロッドを緩めても門型パイプフレームは支持フレームによって支えられる。このため、門型パイプフレームは折り畳み態勢には戻らず、起立態勢と折り畳み態勢の中間の態勢に保つことができ、作業の安全を図ることができる。
【発明を実施するための最良の形態】
【０００８】
複数本の門型パイプフレームを地上に並列に立設してハウスの骨格を構成し、該骨格の上からビニールシートを張設した農芸用ビニールハウスであって、前記各門型パイプフレームをビニールハウスの天井部分を形成するアーチパイプと、ビニールハウスの側面を形成する脚パイプに分割し、さらに脚パイプを地中に先端部が埋設されるベースパイプと、該ベースパイプと前記アーチパイプとを連結する中間パイプとに分割し、
該門型パイプフレームを折り畳み態勢から起立態勢へ変動するようにアーチパイプと中間パイプ及び中間パイプとベースパイプを回動可能に連結し、
前記門型パイプフレームが折り畳み態勢にあるとき、アーチパイプが下端部を地面に近接するとともに地面から略垂直に延び、下端部を地中に埋設したベースパイプの上端部から中間パイプがアーチパイプの下端部へと延び、
前記門型パイプフレームが起立態勢にあるとき、ベースパイプと中間パイプ及びアーチパイプの下端部が略垂直に整列し、
かつ起立態勢においてアーチパイプの下端部と中間パイプの上端部が嵌合し、中間パイプの下端部とベースパイプの上端部が嵌合するように構成する。
【０００９】
前記アーチパイプと中間パイプの連結部の近傍に第１フレームを連結し、中間パイプとベースパイプの連結部の近傍に第２フレームを連結し、第１フレームと第２フレームを連結して中間パイプと第１フレーム及び第２フレームで中間パイプを底辺とする三角形の骨組を形成し、該三角形の骨組の頂点にワイヤを連結し、該ワイヤを引張して前記門型パイプフレームを折り畳み態勢から起立態勢へと変動させるように構成する。
【００１０】
前記中間パイプとアーチパイプの連結部の近傍に支持フレームの一端を回動可能に連結し、前記ワイヤの引張時に該支持フレームの他端が地面に摺接するように構成する。
【実施例１】
【００１１】
以下に本発明を図面に基づき説明するに、図１には本発明の第１実施例に係る農芸用ビニールハウス１０が示されている。当該ビニールハウス１０は複数本の門型パイプフレーム１１、横パイプ１２，１３、縦パイプ１４，１５、棟パイプ１６，１７梁パイプ１８，１９，２０，２１、左右２本のベースプレート２２を備えている。
【００１２】
各ベースプレート２２は断面Ｌ字形を有し、底面の長手方向に沿って一定間隔で貫通穴２２ａ（図４参照）が形成されている。ビニールハウス１０は、門型パイプフレーム１１を地面に敷設したベースプレート２２の貫通穴２２ａに挿入立設し、ベースプレート２２に沿って貫通穴２２ａの間隔で並ぶ門型パイプフレーム１１の列を形成し、各門型パイプフレーム１１を棟パイプ１６，１７、上下２段の横パイプ１２，１３、縦パイプ１４，１５、梁パイプ１８，１９，２０，２１で連結してハウスの骨格を構成し、該骨格の上からビニールシート２３を張設して組み立てられている。ビニールハウス１０の側面正面寄りにドア２４が取り付けられ、正面中央上部には換気ファン２５が取り付けられている。ビニールハウスの背面には外気導入口２６が設けられ、導入口２６にシャッター２７が取付られている。
【００１３】
図２に示すように、各門型パイプフレーム１１はビニールハウス１０の天井部分を構成するアーチパイプ３１と、ビニールハウス１０の側面を形成する左右２本の脚パイプ１１ａからなり、さらに各脚パイプ１１ａは下端部が地面に立設されるベースパイプ３２及びアーチパイプ３１とベースパイプ３２を連結する中間パイプ３３の３パイプに分割され、アーチパイプ３１と中間パイプ３３及び中間パイプ３３とベースパイプ３２を連結して構成されている。
【００１４】
図３に門型パイプフレーム１１のアーチパイプ３１と中間パイプ３３の連結構造の詳細を示す。アーチパイプ３１と中間パイプ３３が連結金具４０で連結されている。連結金具４０は第１リンク４１と第２リンク４２を備え、両リンク４１，４２がピン４３で回動可能に連結されている。第１リンク４１の一側には直角折り曲げ片４１ａが形成され、略ピン４３の位置まで延びている。第２リンク４２のピン側端部の一側に突起４２ａが形成され、他側に段差部４２ｂが形成されている。第１リンク４１と第２リンク４２を相対的に回動し、第１リンク４１の直角折り曲げ片４１ａのピン側端部が第２リンク４２の突起４２ａに当接させると両リンク４１，４２が略一直線に整列する。
【００１５】
アーチパイプ３１と中間パイプ３３は、アーチパイプ３１の下端部に第１リンク４１を嵌入し、中間パイプ３３に第２リンク４２を嵌入することにより互いに回動可能に連結されている。第２リンク４２を中間パイプ３３に嵌入すると、その突起４２ａと段差部４２ｂが中間パイプ３３の開口端面に当接するので、それ以上中間パイプ３３中に埋入することはなく、ピン４３は中間パイプ３３の開口端面から露出する。
【００１６】
中間パイプ３３の第２リンク４２が嵌入される端部３３ａの外径はアーチパイプ３１の下端部の内径より小さく成形されているので、第１リンク４１と第２リンク４２が略一直線に整列するまで、両パイプ３１，３３を回動したとき、アーチパイプ３１の下端部が中間パイプ３３の先細の先端部３３ａに被さるように嵌合し、一直線に整列する。
【００１７】
中間パイプ３３とベースパイプ３２は、アーチパイプ３１と中間パイプ３３の連結構造と同様の構造を備え、連結部材４０の第１リンク４１を中間パイプ３３に嵌入し、第２リンク４２をベースパイプ３２の上端部に嵌入して回動可能に連結されている。また、中間パイプ３３とベースパイプ３２が略一直線に整列したとき、中間パイプ３３がベースパイプ３２に重なって嵌合するようにベースパイプ３２の上端部の外径は中間パイプ３３の内径より小さく成形されている。アーチパイプ３１と中間パイプ３３の連結部に取り付けた連結部材４０は本発明における第１ロック手段を構成し、中間パイプ３３とベースパイプ３２の連結部に取り付けた連結部材が本発明の第２ロック手段を構成する。
【００１８】
門型パイプフレーム１１の構造は以上の通りであって、次ぎに同パイプ１１を用いて農芸用ビニールハウス１０を組み立てる手順を図４及〜図７に基づき説明する。
図４に示すように地面にベースプレート２２を敷設し、折り畳み態勢にある門型パイプフレーム１１のベースパイプ３２をベースプレート２２の貫通穴２２ａに挿入して立設し、アーチパイプ３１の下端部を地面に立設する。複数本の門型パイプフレーム１１を折り畳んだ状態でベースプレート２２に沿って並べる。門型パイプフレーム１１が折り畳み態勢にあるとき、アーチパイプ３１が下端部を接地するとともに地面から略垂直に延び、下端部を地中に埋設したベースパイプ３２の上端部から中間パイプ３３がアーチパイプ３１の下端部へと傾斜して延びている。また、アーチパイプ３１と中間パイプ３３を連結する連結部材４０は逆ハの字に折れ曲がり、中間パイプ３３とベースパイプ３２を連結する連結部材４０はハの字に折れ曲がっている。
【００１９】
図５（Ａ）及び図６（Ａ）に示すように、折り畳んだ門型パイプフレーム１１をベースプレート２２に沿って列設する。門型パイプフレーム１１を折り畳んだ状態ではアーチパイプ３１の下端部が地面に接地しているので、高所用の足場を要することなく地面に立ったまま各種作業、例えば、上下２段の横パイプ１２，１３、縦パイプ１４，１５、棟パイプ１６，１７、梁パイプ１８，１９，２０，２１等をアーチパイプ３１に固定する作業やアーチパイプ３１の上からビニールシートを被せて張設する作業、換気ファン２５の設置作業等を行う。
【００２０】
また、門型パイプフレーム１１を折り畳んだ状態で門型パイプフレーム１１に三角形の骨組５０を組み付ける。ハウスの骨格を構成する複数の門型パイプフレーム１１には例えば５本毎に左右一対の三角形の骨組５０が組み付けられている。この三角形の骨組５０は中間パイプ３３と第１フレーム５１及び第２フレーム５２で構成され、第１フレーム５１の一端が中間パイプ３３のアーチパイプ３１側端部に連結され、第２フレーム５２の一端が中間パイプ３３のベースパイプ３２側端部に連結されている。そして、両フレーム５１，５２を連結して中間パイプ３３を底辺とする三角形の骨組５０が形成されている。また、門型パイプフレーム１１の転倒防止のため中間パイプ３３のアーチパイプ３１側端部に支持フレーム５３の一端を回動可能に連結し、地面に横たえておく。
図７に、中間パイプ３３と第１フレーム５１及び支持フレーム５３の結合構造を示す。ブラケット５４を中間パイプ３３のアーチパイプ３１側端部に固着する。第１フレーム５１はプレス加工によって板状先端部５１ａが成形されている。同じく支持フレームも板状先端部５３ａが成形されている。第１フレーム５１と支持フレーム５３は先端部５１ａ，５３ａがピン５５でブラケットに回動可能に連結されている。
【００２１】
門型パイプフレーム１１の右側の中間パイプ３３に組み付けられた複数組の三角形の骨組５０の頂点を一本のワイヤ５６で連結し、同様にして左側の中間パイプ３３に組み付けた三角形の骨組５０を一本のワイヤ５６で連結する。さらに、右側のアーチパイプ３１の端部と左側のベースパイプパイプの下端部間及び左側のアーチパイプ３１の端部と右側のベースパイプの下端部間にそれぞれ横揺れ防止のためワイヤ５７を張る。
【００２２】
アーチパイプ３１内部での各種作業を終えた後、図５（Ｂ）及び図６（Ｂ）に示すように、２本のワイヤ５６をウィンチで巻き上げて引張する。門型パイプフレーム１１が折り畳まれた状態では三角形の骨組５０を構成する中間パイプ３３のアーチパイプ３１側端部は接地しているが、ワイヤ５６を引っ張ることにより三角形の骨組５０が中間パイプ３３のベースパイプ３２側端部を支点にして上方へ回動され、中間パイプ３３のアーチパイプ３１側端部が地面から離れて引き起こされる。一方、門型パイプフレーム１１が折り畳まれた状態では地面に横たわっていた支持フレーム５３は三角形の骨組５０の上方回動に伴い、自由端側を地面に摺接したまま中間パイプ３３との連結端部が引き起こされる。このとき自由端は図６（Ｂ）に示すように中間パイプ３３の下端部から内側へ偏って傾斜する。また、このときアーチパイプ３１と中間パイプ３３の連結部材４０は図８に示すように逆ヘの字に、また中間パイプ３３とベースパイプ３２との連結部材はへの字に拡開する。
【００２３】
さらにワイヤ５６を引張し、図５（Ｃ）に示すように中間パイプ３３が垂直になるまで三角形の骨組５０を引き起こす。図９に示すように、中間パイプ３３が垂直になるとベースパイプ３２及びアーチパイプ３１の下端部が一直線に整列し、ハウスの骨格は起立態勢になる。このとき図３の２点鎖線で示すように、連結部材４０は直角折り曲げ片４１ａの端部が突起４２ａに当たり、第１リンク４１と第２リンク４２が一直線に整列する。
【００２４】
ベースパイプ３２と中間パイプ３３及びアーチパイプ３１の下端部が一直線に整列すると、図１０に示すようにアーチパイプ３１の下端部が中間パイプ３３の上端部に被さるように嵌合し、中間パイプ３３の下端部がベースパイプ３２の上端部に被さるように嵌合する。これにより門型パイプフレーム１１は起立状態になり、その状態が保持されてハウスの骨格が形成される。その後、三角形の骨組５０と支持フレームを取り外す。
【実施例２】
【００２５】
本発明の第２実施例に係る農芸用ビニールハウスの主要部の構成を図１１〜図１５に基づき説明する。本実施例に係る農芸用ビニールハウスでは図１１に示すように、門型パイプフレーム１１を構成するアーチパイプ３１と中間パイプ３３及び中間パイプ３３とベースパイプ３２がそれぞれ連結部材６０によって回動可能に連結されている。
【００２６】
連結部材６０は図１２に示すように、第１リンク６１と第２リンク６２を備え、両リンク６１，６２が軸ピン６３で回動可能に連結されている。第１リンク６１の連結側端部の一側面にはストッパ面６１ａが形成されている。アーチパイプ３１と中間パイプ３３は図１３に示すように、第１リンク６１をアーチパイプ３１の下端部に嵌入し、第２リンク６２を中間パイプ３３の先細の先端部３３ａに嵌入することにより回動可能に連結されている。同様にして、中間パイプ３３とベースパイプ３２は、中間パイプ３３に第１リンク６１を嵌入し、ベースパイプ３２に第２リンク６２を嵌入することにより回動可能に連結されている。詳しくは後述するが、ストッパ面６１ａはアーチパイプ３１に対し中間パイプ３３を回動したとき、及び中間パイプ３３に対しベースパイプ３２を回動したときアーチパイプ３１と中間パイプ３３及び中間パイプ３３とベースパイプ３２が一直線に整列する位置決め手段として作用する。
【００２７】
アーチパイプ３１の下端部にブラケット７１が固着され、該ブラケット７１に２本のピン７２でそれぞれ第１フレーム７３と支持フレーム７４が回動可能に連結されている。一方、中間パイプ３３のベースパイプ３２側端部にブラケット７５が固着され、該ブラケット７５にピン７６で第２フレーム７７が回動可能に連結されている。そして、第１フレーム７３と第２フレーム７７がピン７８で回動可能に連結され、中間パイプ３３と第１フレーム７３及び第２フレーム７７によって中間パイプ３３を底辺とする略三角形の骨組７０が構成されている。
【００２８】
先頭の三角形の骨組７０の頂部にワイヤ５６が連結されるとともに、後続の三角形の骨組７０の頂部が連結用フレーム７９で連結されている。
【００２９】
第２実施例に係る農芸用ビニールハウスの主要部の構成は以上の通りであって、他の構成は第１実施例と同じであるので、説明を省略する。
【００３０】
本実施例に係る農芸用ビニールハウスの組立の手順を説明する。図１１及び図１４（Ａ）に示すように、折り畳んだ門型パイプフレーム１１をベースプレート２２に沿って列設する。その際、予めベースプレート２２に立設したベースパイプ３２に連結部材６０の第２リンク６２を挿入し、第１リンク６１を中間パイプ３３に挿入して両パイプを連結する。また、図１１に示すように、三角形の骨組７０を組み付けたアーチパイプ３１に固定されている横パイプ１３とベースプレート２２間にジャッキ８０を設置してアーチパイプ３１の下端部とベースプレート２２間に所要の隙間を形成し、この隙間を利用して連結部材６０の第２リンク６２を中間パイプ３３に挿入し、第１リンク６１をアーチパイプ３１に挿入する。
【００３１】
門型パイプフレーム１１を折り畳んだ状態では中間パイプ３３が地面に沿って延び、アーチパイプ３１の下端部が地面に近接しているので、高所用の足場を要することなく地面に立ったまま各種作業、例えば、ビニールシート２３の張設作業や換気ファン２５の設置作業等を行う。
【００３２】
また、門型パイプフレーム１１を折り畳んだ状態で門型パイプフレーム１１に三角形の骨組７０を組み付ける。続いて先頭の三角形の骨組７０の頂部にワイヤ５６を連結するとともに、後続の三角形の骨組７０の頂部間を連結用フレーム７９で連結する。
【００３３】
アーチパイプ３１内外部での各種作業を終えた後、図１４（Ｂ）に示すように、ワイヤ５６をウィンチで巻き上げて引張する。門型パイプフレーム１１が折り畳まれた状態では三角形の骨組７０を構成する中間パイプ３３は地面に沿って延びているが、ワイヤ５６を引っ張ることにより三角形の骨組７０が中間パイプ３３のベースパイプ３２側端部を支点にして上方へ回動され、中間パイプ３３のアーチパイプ３１側端部が引き起こされる。一方、支持フレーム７４は三角形の骨組７０の上方回動に伴い、自由端側を地面に摺接したままアーチパイプ３１との連結端部が引き起こされる。
【００３４】
さらにワイヤ５６を引張し、図１４（Ｃ）に示すように中間パイプ３３が垂直になるまで三角形の骨組７０を引き起こす。それに伴い、図１５に示すように、第１リンク６１のストッパ面６１ａとストッパ面６１ａの反対側に形成されている円弧面６１ｂが中間パイプの先細の先端部３３ａの内面に当接するので、中間パイプ３３の回動が規制される。その結果、連結部材６０は第１リンク６１と第２リンク６２が一直線に整列し、中間パイプ３３が垂直になる。これによりベースパイプ３２及びアーチパイプ３１の下端部が一直線に整列し、ハウスの骨格は起立態勢になる。第１リンク６１と第２リンク６２が一直線に整列すると、アーチパイプ３１の下端部が中間パイプ３３の上端部に被さるように嵌合し、中間パイプ３３の下端部がベースパイプ３２の上端部に被さるように嵌合する。これにより門型パイプフレーム１１は起立状態になり、その状態が保持されてハウスの骨格が形成される。その後、三角形の骨組７０と支持フレーム７４及びジャッキ８０を取り外す。
【実施例３】
【００３５】
本発明の第３実施例に係る農芸用ビニールハウスの主要部の構造を図１６に示す。第１実施例及び第２実施例に係る農芸用ビニールハウスは門型パイプフレーム１１として断面円形のパイプ材を使用しているが、本実施例に係る農芸用ビニールハウスでは門型パイプフレーム９０に断面四角のパイプ材を使用している。そして、図１７に示すように、門型パイプフレーム９０を構成するアーチパイプ９１の下端面に四角形のプレートを溶接してアーチパイプ側フランジ９２を形成している。同様にして中間パイプ９３の両端面に中間パイプ側アッパフランジ９４と中間パイプ側ロアフランジ９５を設ける。また図１８に示すように、ベースパイプ９６の上端面にベースパイプ側フランジ９７を設けている。各フランジ９２，９４，９５，９７の四隅にはそれぞれ通孔９８が形成されている。
【００３６】
門型パイプフレーム９０は、アーチパイプ側フランジ９２と中間パイプ側アッパフランジ９４をヒンジ９９で連結してアーチパイプ９１と中間パイプ９３を回動可能に連結し、中間パイプ側ロアフランジ９５とベースパイプ側フランジ９７をヒンジ１００で連結して中間パイプ９３とベースパイプ９６を回動可能に連結して構成されている。
【００３７】
第３実施例に係る農芸用ビニールハウスはその骨格をかかる門型パイプフレーム９０で構成する。折り畳み態勢にある門型パイプフレーム９０を引き起こすと、図１９に示すようにアーチパイプ９１と中間パイプ９３及びベースパイプ９６が回動する。そして、アーチパイプ側フランジ９２と中間パイプ側アッパフランジ９４が重合し、中間パイプ側ロアフランジ９５とベースパイプ側フランジ９７が重合するまで各パイプを回動する。図２０に示すように、アーチパイプ側フランジ９２と中間パイプ側アッパフランジ９４が重合し、中間パイプ側ロアフランジ９５とベースパイプ側フランジ９７が重合することによりアーチパイプ９１と中間パイプ９３及び中間パイプ９３とベースパイプ９６が一直線に整列するので、通孔９８にボルト１０１を通してアーチパイプ９１と中間パイプ９３及び中間パイプ９３とベースパイプ９６を結合し、ビニールハウスの骨格を組み立てる。
【００３８】
本実施例に係る農芸用ビニールハウスによれば、連結部材としてフランジ９２，９４，９５，９７を各パイプ材９１，９３，９６に設けるだけの簡単な構造により門型パイプフレーム９０を起立態勢に保つことができる。
【図面の簡単な説明】
【００３９】
【図１】本発明の一実施例に係る農芸用ビニールハウスの骨格の全体を示す斜視図である。
【図２】同ビニールハウスの門型パイプフレームを示す正面図である。
【図３】同門型パイプフレームにおけるアーチパイプと中間パイプとの連結部を示す断面図である。
【図４】同門型パイプフレームの折り畳み態勢を示す断面図である。
【図５】本発明の一実施例に係る農芸用ビニールハウスの骨格の折り畳み態勢から起立態勢への変動を示す側面図である。
【図６】同ビニールハウスの骨格の折り畳み態勢から起立態勢への変動を示す正面図である。
【図７】中間パイプと第１フレーム及び支持フレームの結合構造部分を示す側面図である。
【図８】門型パイプフレームの折り畳み態勢と起立態勢の中間の態勢を示す断面図である。
【図９】門型パイプフレームの起立態勢を示す断面図である。
【図１０】門型パイプフレームの起立態勢を示す正面から見た断面図である。
【図１１】本発明の第２実施例に係る農芸用ビニールハウスの門型パイプフレームの主要部を示す側面図である。
【図１２】同主要部を構成する連結部材を示す分解斜視図である。
【図１３】同農芸用ビニールハウスのアーチパイプと中間パイプの折り畳み態勢における連結部分を示す部分断面図である。
【図１４】本発明の第２実施例に係る農芸用ビニールハウスの骨格の折り畳み態勢から起立態勢への変動を示す側面図である。
【図１５】同農芸用ビニールハウスのアーチパイプと中間パイプの起立態勢における連結部分を示す部分断面図である。
【図１６】本発明の第３実施例に係る農芸用ビニールハウスの門型パイプフレームを示す側面図である。
【図１７】同門型パイプフレームのアーチパイプの下端部を示す底面図である。
【図１８】同門型パイプフレームのベースパイプの上端部を示す平面図である。
【図１９】同門型パイプフレームの回動状態を示す側面図である。
【図２０】同門型パイプフレームの起立態勢を示す側面図である。
【符号の説明】
【００４０】
１０…農芸用ビニールハウス、１１，９０…門型パイプフレーム、１１ａ…脚パイプ、２２…ベースプレート、３１…アーチパイプ、３２…ベースパイプ、３３…中間パイプ、４０，６０…連結部材、４１，６１…第１リンク、４２，６２…第２リンク、５０，７０…三角形の骨組、５１，７３…第１フレーム、５２，７７…第２フレーム、５３，７４…支持フレーム。
【図１】
0004585972.tif 000002
【図２】
0004585972.tif 000003
【図３】
0004585972.tif 000004
【図４】
0004585972.tif 000005
【図５】
0004585972.tif 000006
【図６】
0004585972.tif 000007
【図７】
0004585972.tif 000008
【図８】
0004585972.tif 000009
【図９】
0004585972.tif 000010
【図１０】
0004585972.tif 000011
【図１１】
0004585972.tif 000012
【図１２】
0004585972.tif 000013
【図１３】
0004585972.tif 000014
【図１４】
0004585972.tif 000015
【図１５】
0004585972.tif 000016
【図１６】
0004585972.tif 000017
【図１７】
0004585972.tif 000018
【図１８】
0004585972.tif 000019
【図１９】
0004585972.tif 000020
【図２０】
0004585972.tif 000021